(57)【要約】【課題】履物や枕、マットなどに取り付けて使用するマッサージユニットにおいて、圧と磁気により適度なマッサージ効果と血行促進効果とを同時に奏するマッサージユニットを提供する。【解決手段】上方が開口し、下方に底部（２１）を具備する第一の筒状体（２）と、下方が開口し、上方に上面が湾曲した塞ぎ部（３１）を具備し、前記第一の筒状体（２）に摺動可能に取り付けられた第二の筒状体（３）と、前記底部（２１）と前記塞ぎ部（３１）との間で、前記第一及び第二の筒状体の軸方向（Ｘ）に沿って配された弾性部材（４）と、前記弾性部材（４）と前記塞ぎ部（３１）との間に配された磁石（５）と、を備えることを特徴とするマッサージユニット（１）。【選択図】図１
2014002146.tif 000002
【特許請求の範囲】
【請求項１】
上方が開口し、下方に底部を具備する第一の筒状体と、
下方が開口し、上方に上面が湾曲した塞ぎ部を具備し、前記第一の筒状体に摺動可能に取り付けられた第二の筒状体と、
前記底部と前記塞ぎ部との間で、前記第一及び第二の筒状体の軸方向に沿って配された弾性部材と、
前記弾性部材と前記塞ぎ部との間に配された磁石と、を備え、
前記第一の筒状体は、前記底部の周縁から上方に延在する側部と、この側部に軸方向に沿って周方向に所定の間隔をあけて設けられた長孔と、を有し、
前記第二の筒状体は、前記塞ぎ部の周縁から下方に延在する側部と、この側部に軸方向の下方に前記長孔に嵌まり摺動する突起と、を有することを特徴とする
マッサージユニット。
【請求項２】
前記第二の筒状体は、
さらに、その側部の下端から軸方向に沿って、周方向に所定の間隔をあけて設けられた切り欠き、を有することを特徴とする
請求項１記載のマッサージユニット。
【請求項３】
前記磁石が磁束密度１０００〜７０００ガウスであり、
前記塞ぎ部が半球状であって、前記磁石の上面と前記半球状の頂点との距離が、０．５〜５ｍｍであり、
前記半球状の頂点の磁束密度を３５０〜２０００ガウスとしたことを特徴とする
請求項１又は２記載のマッサージユニット。
【請求項４】
前記塞ぎ部に、小孔が設けられたことを特徴とする
請求項１〜３のいずれか１項記載のマッサージユニット。
【請求項５】
請求項１〜４のいずれか１項記載のマッサージユニットを複数備え、
履物底の上面に、前記第一の筒状体が嵌合する複数の嵌合孔が設けられ、
これら複数のマッサージユニットが、前記嵌合孔にそれぞれ取り付けられ、
前記履物底の上面から前記塞ぎ部が突出したことを特徴とする
履物。
【請求項６】
前記嵌合孔が人の足裏のツボに対応する位置に設けられたことを特徴とする
請求項５記載の履物。
【請求項７】
前記複数のマッサージユニットには、前記弾性部材が配された第一のマッサージユニットと、これと弾性率の異なる前記弾性部材が配された第二のマッサージユニットがあり、
これら第一、第二のマッサージユニットが、人の足裏のツボに応じて前記嵌合孔に取り付けられたことを特徴とする
請求項５又は６記載の履物。
【請求項８】
請求項１〜４のいずれか１項記載のマッサージユニットを複数備え、
ベルトの一方面に、前記第一の筒状体が嵌合する複数の嵌合孔が設けられ、
これら複数のマッサージユニットが、前記嵌合孔にそれぞれ取り付けられ、
前記ベルトの一方面から前記塞ぎ部が突出したことを特徴とする
ベルト。
【請求項９】
請求項１〜４のいずれか１項記載のマッサージユニットを複数備え、
マットの上面に、前記第一の筒状体が嵌合する複数の嵌合孔が設けられ、
これら複数のマッサージユニットが、前記嵌合孔にそれぞれ取り付けられ、
前記マットの上面から前記塞ぎ部が突出したことを特徴とする
マット。
【請求項１０】
請求項１〜４のいずれか１項記載のマッサージユニットを複数備え、
枕の一方面に、前記第一の筒状体が嵌合する複数の嵌合孔が設けられ、
これら複数のマッサージユニットが、前記嵌合孔にそれぞれ取り付けられ、
前記枕の一方面から前記塞ぎ部が突出したことを特徴とする
枕。
【請求項１１】
請求項１〜４のいずれか１項記載のマッサージユニットを複数備え、
クッションの一方面に、前記第一の筒状体が嵌合する複数の嵌合孔が設けられ、
これら複数のマッサージユニットが、前記嵌合孔にそれぞれ取り付けられ、
前記クッションの一方面から前記塞ぎ部が突出したことを特徴とする
クッション。
【請求項１２】
請求項１〜４のいずれか１項記載のマッサージユニットを備え、
ハンドグリップの表面に、前記第一の筒状体が嵌合する嵌合孔が設けられ、
このマッサージユニットが、前記嵌合孔に取り付けられ、
前記ハンドグリップの表面から前記塞ぎ部が突出したことを特徴とする
ハンドグリップ。
【発明の詳細な説明】
【技術分野】
【０００１】
本発明は、マッサージユニットに関し、例えば履物底やベルト等、種々の物品に複数個取り付けて使用するマッサージユニットに関する。また、このマッサージユニットを備えた履物に関する。
【背景技術】
【０００２】
従来、マッサージ器具として、特許文献１には、靴底に突起を配した靴が開示されている。特許文献１の足裏指圧用靴１０は、靴底１２に形成された挿入穴１４に、これに嵌入する基部１６と上部突起１７とが一体の指圧体１８が取り付けられている（第１図参照）。【０００３】
また、特許文献２には、靴底に突起状の磁石重りを取り付けた靴の図面が開示されている（第９図（ａ）参照）。特許文献２の第９図（ａ）には、上靴底８’に設けられた穴型重り台８０１に、磁石重り４０４が接着剤１２によって接着されている。【０００４】
また、特許文献３には、按摩突起を靴底に配した靴が開示されている。特許文献３に記載の按摩突起１０は、その内部にスプリング１２が配されていて、靴底に設けられた固定座１３に取り付けて使用するものである（第３図参照）。そして、使用者がこの靴を履くことで、スプリング１２の弾性により按摩突起１０が上下に動いて、使用者の足裏を按摩する。また、按摩突起１０の周縁には数個の嵌め込み座１１が設けられ、固定座１３の上端に突縁１４が設けられており、スプリング１２の弾性によっても、固定座１３から按摩突起１０が跳び出せないように構成されている。【０００５】
また、特許文献４には、靴底にマッサージ棒を設置した靴が開示されている。特許文献２の靴は、靴本体５０には複数の接合穴５１が設けられ、各接合穴５１にマッサージ棒５５が取り付けられている（第６図参照）。そして、マッサージ棒５５には、丸い突っ張り棒５６が設置され、この突っ張り棒５６がばねで支持されて伸縮可能に構成されている。
【先行技術文献】
【特許文献】
【０００６】
【特許文献１】特開２０００−４９０４号公報
【特許文献２】特開平１１−２７６５４５号公報
【特許文献３】実開平５−５５９０３号公報
【特許文献４】実登第３１０９８３１号公報
【発明の概要】
【発明が解決しようとする課題】
【０００７】
しかしながら、特許文献１の先行技術は、靴底に取り付けられた指圧体が基部と上部突起とが一体成形のもので伸縮しないため、足裏の形状に合わせることができず、また歩くときにかかる荷重が吸収されず、突起から足裏に強い力を受ける。したがって、これを長時間履いて使用すると、足裏が非常に痛くなる。【０００８】
また、特許文献２の先行技術は、靴底に取り付けられた磁石重りは、上記と同じく伸縮等しないため、足裏の形状に合わせることができず、また歩くときにかかる荷重は吸収されず、足裏に強い力を受けることとなる。また、磁石は強度が高くないため、このように剥き出しの状態で取り付けられていると、荷重がかかり磁石が割れるなど破損する可能性が高い。さらには、磁石が剥き出しの状態だと、様々な方向から荷重を受けることとなり磁石はより割れやすくなる。【０００９】
また、特許文献３や特許文献４の先行技術は、靴底に取り付けられた按摩突起又はマッサージ棒は、磁石が配されていないので、マッサージ効果はあるものの磁力による血行促進等の効果を同時に奏することがない。また、これら按摩突起やマッサージ棒は、固定座等に対して周方向に動く構造のため、歩くときに按摩突起又はマッサージ棒が周方向にずれるおそれがある。そうすると、按摩突起又はマッサージ棒の上面がずれて、使用者が不快に感じるとともに、按摩突起又はマッサージ棒に上下方向や周方向、その他方向から種々の荷重を受けることとなり破損しやすい。【００１０】
そのため、仮に特許文献３の按摩突起や特許文献４のマッサージ棒の内部に磁石を配したとしても、磁石に種々の方向から荷重がかかると、磁石が破損するおそれがある。とりわけ、磁石は強度が高くないので、このような種々の方向から荷重がかかると、すぐに破損してしまう可能性がある。【００１１】
本発明は上述の点に鑑みてなされたもので、弾性部材を用いて、足裏に過度の荷重がかかることを抑制し、かつ、磁石にかかる荷重方向を規定して、磁石の破損を抑制するマッサージユニットを提供することを目的とする。
【課題を解決するための手段】
【００１２】
上記の課題を解決するために本発明に係るマッサージユニットは、上方が開口し、下方に底部を具備する第一の筒状体と、下方が開口し、上方に上面が湾曲した塞ぎ部を具備し、前記第一の筒状体に摺動可能に取り付けられた第二の筒状体と、前記底部と前記塞ぎ部との間で、前記第一及び第二の筒状体の軸方向に沿って配された弾性部材と、前記弾性部材と前記塞ぎ部との間に配された磁石と、を備え、
前記第一の筒状体は、前記底部の周縁から上方に延在する側部と、この側部に軸方向に沿って周方向に所定の間隔をあけて設けられた長孔と、を有し、前記第二の筒状体は、前記塞ぎ部の周縁から下方に延在する側部と、この側部に軸方向の下方に前記長孔に嵌まり摺動する突起と、を有することを特徴とする。【００１３】
この構成によれば、マッサージユニットに弾性部材が配されているので、荷重や加圧に応じて、第二の筒状体が第一の筒状体に対し上下に摺動する。これにより、人に適度に圧を加えられる。また、第二の筒状体の塞ぎ部の上面が湾曲した面をしているので、角がなく痛くない。以上のようにして、使用者が長時間使用した場合の、過度な疲れや痛みを抑制する。さらに、マッサージユニットの内部には磁石が配されているので、圧によるマッサージに加えて、磁気の効果によって血行促進やコリをやわらげられる。【００１４】
また、第二の筒状体の突起部が、第一の筒状体の長穴に嵌まることで、第二の筒状体が第一の筒状体に対してスムーズに摺動するとともに、第一の筒状体からの第二の筒状体の抜けを防止する。さらに、突起部が長孔に嵌まって上下方向に摺動するので、第二の筒状体が第一の筒状体に対する周方向へのずれを抑えられ、第二の筒状体の上面の向きを一定に保つことができるとともに、磁石にかかる荷重を上下方向に規定して、周方向や斜め方向等の予期せぬ方向からの荷重を抑制し、磁石の破損を抑える。【００１５】
ここで「弾性部材」とは、例えば、金属性又は樹脂性のコイルバネやゴム等をいう。なお、弾性部材にコイルバネを用いる場合には、第一の筒状体の底部の中央に、コイルバネを位置決めする突起を設けるとよい。また、「周方向に所定の間隔」とは、例えば１８０度であり、１２０度であり、９０度である。なお、これ以外の間隔としてもよい。【００１６】
請求項２に係るマッサージユニットは、前記第二の筒状体が、さらに、その側部の下端から軸方向に沿って、周方向に所定の間隔をあけて設けられた切り欠き、を有することを特徴とする。【００１７】
この構成によれば、第二の筒状体に切り欠きが形成されていることにより、側部が下方で複数に分断されるため、これら分断された側部を内方に撓ませて、第一の筒状体に取り付けやすくなっている。また、第二の筒状体に第一の筒状体を取り付けて使用する時にも、第二の筒状体が上下に摺動する際に、第二の筒状体が撓むことで、力を逃がすことができる。【００１８】
請求項３に係るマッサージユニットは、前記磁石が磁束密度１０００〜７０００ガウスであり、前記塞ぎ部が半球状であって、前記磁石の上面と前記半球状の頂点との距離が、０．５〜５ｍｍであり、前記半球状の頂点の磁束密度を３５０〜２０００ガウスとしたことを特徴とする。【００１９】
この構成によれば、マッサージユニットの周りの磁束密度を３５０〜２０００ガウスの範囲とすることで、マッサージユニットを医療器具として用いることができる。また、磁石の上面と前記塞ぎ部の半球状の頂点との距離は、０．５ｍｍより小さいと強度の関係上好ましくなく、５ｍｍより大きいと磁束密度の多大な磁石を使用する必要がありコスト高となる。なお、磁石の上面と前記塞ぎ部の半球状の頂点との距離は、より好ましくは１〜３ｍｍであり、さらにより好ましくは２ｍｍである。また、内部に配する磁石の磁束密度は、２０００〜５０００ガウスの磁石が好適である。また、磁石には、ネオジウム磁石やフェライト磁石、サマリウムコバルト磁石、アルニコ磁石などを用いる。なお、好ましくはネオジウム磁石であり、ネオジウム磁石は、磁束密度が高く、かつ、硬くて割れにくいので、マッサージユニットに配する際に、小さいサイズの磁石を用いることができ、かつ、強度が高く好適である。【００２０】
請求項４に係るマッサージユニットは、前記塞ぎ部に、小孔が設けられていてもよい。【００２１】
この構成によれば、小孔に消臭剤などを入れて使用することができる。なお、小孔は１つでもよく、複数でもよい。【００２２】
請求項５に係る履物は、請求項１〜４のいずれか１項記載のマッサージユニットを複数備え、履物底の上面に、前記第一の筒状体が嵌合する複数の嵌合孔が設けられ、これら複数のマッサージユニットが、前記嵌合孔にそれぞれ取り付けられ、前記履物底の上面から前記塞ぎ部が突出したことを特徴とする。【００２３】
この構成によれば、履物底に複数の嵌合孔を設け、この嵌合孔にマッサージユニットを取り付けることで、この履物を履いた使用者が歩くだけで足裏をマッサージさせることができ、同時に、磁気の効果によって血行促進やコリをやわらげることができる。特に、請求項２記載のマッサージユニットを用いれば医療用の履物としても使用できる。【００２４】
請求項６に係る履物は、前記嵌合孔が人の足裏のツボに対応する位置に設けられたことを特徴とする。【００２５】
この構成によれば、使用者は履物を履いて歩くだけでツボ押し効果を得ることができる。【００２６】
請求項７に係る履物は、前記複数のマッサージユニットには、前記弾性部材が配された第一のマッサージユニットと、これと弾性率の異なる前記弾性部材が配された第二のマッサージユニットがあり、これら第一、第二のマッサージユニットが、人の足裏に応じて前記嵌合孔に取り付けられたことを特徴とする。【００２７】
この構成によれば、履物底に設けられた嵌合孔に、弾性率の異なる第一のマッサージユニットと第二のマッサージユニットとを人の足裏の状態に応じて取り付けることで、痛みを軽減でき、心地よくマッサージ効果を得ることができる。例えば、足裏の踵部には弾性率の高いマッサージユニットを取り付け、足裏の土踏まず部には弾性率の低いマッサージユニットを取り付けるとよい。なお、弾性率の異なる第一、第二のマッサージユニットに加えて、さらにこれらとは弾性率の異なる第三のマッサージユニットや第四のマッサージユニットを配してもよい。【００２８】
請求項８に係るベルトは、請求項１〜４のいずれか１項記載のマッサージユニットを複数備え、ベルトの一方面に、前記第一の筒状体が嵌合する複数の嵌合孔が設けられ、これら複数のマッサージユニットが、前記嵌合孔にそれぞれ取り付けられ、前記ベルトの一方面から前記塞ぎ部が突出したことを特徴とする。このように、マッサージユニットをベルトに適用してもよい。【００２９】
請求項９に係るマットは、請求項１〜４のいずれか１項記載のマッサージユニットを複数備え、マットの上面に、前記第一の筒状体が嵌合する複数の嵌合孔が設けられ、これら複数のマッサージユニットが、前記嵌合孔にそれぞれ取り付けられ、前記マットの上面から前記塞ぎ部が突出したことを特徴とする。このように、マッサージユニットをマットに適用してもよい。【００３０】
請求項１０に係る枕は、請求項１〜４のいずれか１項記載のマッサージユニットを複数備え、枕の一方面に、前記第一の筒状体が嵌合する複数の嵌合孔が設けられ、これら複数のマッサージユニットが、前記嵌合孔にそれぞれ取り付けられ、前記枕の一方面から前記塞ぎ部が突出したことを特徴とする。このように、マッサージユニットを枕に適用してもよい。【００３１】
請求項１１に係るクッションは、請求項１〜４のいずれか１項記載のマッサージユニットを複数備え、クッションの一方面に、前記第一の筒状体が嵌合する複数の嵌合孔が設けられ、これら複数のマッサージユニットが、前記嵌合孔にそれぞれ取り付けられ、前記クッションの一方面から前記塞ぎ部が突出したことを特徴とする。このように、マッサージユニットをクッションに適用してもよい。【００３２】
請求項１２に係るハンドグリップは、請求項１〜４のいずれか１項記載のマッサージユニットを備え、ハンドグリップの表面に、前記第一の筒状体が嵌合する嵌合孔が設けられ、このマッサージユニットが、前記嵌合孔に取り付けられ、前記ハンドグリップの表面から前記塞ぎ部が突出したことを特徴とする。このように、マッサージユニットをハンドグリップに適用してもよい。
【発明の効果】
【００３３】
以上のように、本発明に係るマッサージユニットによれば、その内部に弾性部材と磁石が配されているので、圧による適度なマッサージ効果と、磁気による血行促進等の効果とを同時に奏する。
【図面の簡単な説明】
【００３４】
【図１】（ａ）は本発明の一実施形態に係るマッサージユニットの正面図である。（ｂ）は同ＡＡ線断面図である。
【図２】マッサージユニットの部品図である。（ａ）は第一の筒状体の正面図及び平面図である。（ｂ）は第二の筒状体の正面図及び底面図である。（ｃ）はコイルスプリングの正面図及び平面図である。（ｄ）はネオジウム磁石の正面図及び平面図である。
【図３】（ａ）はマッサージユニットの変形例１の正面図である。（ｂ）は同変形例２の正面図である。
【図４】（ａ）はマッサージユニットを複数取り付けた状態の靴底である。（ｂ）はマッサージユニットを取り外した状態の靴底である。
【図５】（ａ）はマッサージユニットを取り付けたベルトの斜視図である。（ｂ）はマッサージユニットを取り付けたマットの斜視図である。（ｃ）はマッサージユニットを取り付けたクッションの斜視図である。（ｄ）はマッサージユニットを取り付けた枕の斜視図である。（ｅ）はマッサージユニットを取り付けたハンドグリップの斜視図である。
【発明を実施するための形態】
【００３５】
以下、本発明に係る一実施形態を図面に基づき説明するが、本発明はこの実施形態に限定されるものではない。
【００３６】
＜マッサージユニットの構造＞
図１に示すように、本発明に係る一実施形態であるマッサージユニット１は、第一の筒状体２と、第二の筒状体３と、コイルバネ４（弾性部材）と、ネオジウム磁石５とを備える。
【００３７】
図２（ａ）に示すように、第一の筒状体２は、円形の底部２１と、底部２１の周縁から上方に延在する側部２２と、を備える。底部２１には、その中央に突起部２３が形成されている。側部２２には、軸方向Ｘと平行に、貫通孔である長孔２４が周方向Ｙに約１８０度の間隔をあけて２つ形成されている。また、側部２２の外周面２２ａには、軸方向Ｘの下方に、円環状の返し２５が形成されている。この返し２５があることにより、マッサージユニット１を履物底等の嵌合孔に取り付けた際、マッサージユニット１を抜けにくくすることができる。なお、本実施形態の第一の筒状体２は、径が約１３ｍｍ、高さが約１４ｍｍであえる。
【００３８】
図２（ｂ）に示すように、第二の筒状体３は、上に凸の半球状の塞ぎ部３１と、塞ぎ部３１の下面周縁から下方に延在する側部３２と、を備える。塞ぎ部３１は、その下面から頂点までの距離が２ｍｍに形成されている。また、側部３２の外周面３２ａには、軸方向Ｘの下方に、第一の筒状体２の長孔２４に嵌まり摺動する突起部３３が、周方向Ｙに約１８０度の間隔をあけて２つ形成されている。また、側部３２の下端から、軸方向Ｘに沿って、切り欠き３４が周方向Ｙに約１８０度の間隔をあけて２箇所形成されている。この切り欠き３４が形成されていることにより側部３２が下方で２つに分断されるため、これらを内方に撓ませることで第一の筒状体２に取り付けやすくなっている。
【００３９】
また、第二の筒状体３の側部３２は、第一の筒状体２の側部２２よりも、断面の径が少し小さく形成されており、第二の筒状体３が第一の筒状体２に嵌り、第二の筒状体３が第一の筒状体２に対して軸方向Ｘに摺動する。なお、第二の筒状体３の摺動距離は、長穴２４の長さ寸法となる。このとき、突起部３３が長穴２４に嵌ることで、第二の筒状体３が第一の筒状体２から抜けることを防止する。なお、本実施形態の第二の筒状体３は、径が約１０ｍｍ、高さが約１６ｍｍである。
【００４０】
また、本実施形態における第一の筒状体２および第二の筒状体３は、ＡＢＳ樹脂素材からなる。なお、これらの素材には、ＡＢＳ樹脂素材以外にも、その他の樹脂や木片、金属など所定の強度を有する別の素材を用いてもよいし、第一の筒状体２と第二の筒状体３を、例えば樹脂と金属など、別素材を組み合わせてもよい。また、第一の筒状体２又は第二の筒状体３の素材に金属を用いる場合は、磁石につかない金属（例えば、アルミニウム、金、銀、銅など）が好ましい。磁石につく金属（例えば、鉄、ニッケル、コバルト、これらの合金）を用いると、内部のネオジウム磁石５によって、第一の筒状体２又は第二の筒状体３が磁性を帯びるので、所望の磁束密度を得るのが困難である。
【００４１】
図２（ｃ）に示すように、コイルバネ４は、径が７ｍｍ、高さが２５ｍｍで、第一の筒状体２と第二の筒状体３との間に配されている。コイルバネ４の下面を第一の筒状体２の突起部２３に嵌めて、さらにコイルバネ４の上面にネオジウム磁石５を載置し、その上方から第二の筒状体３を取り付ける。これにより、コイルバネ４とネオジウム磁石５とが、第一の筒状体２の底部２１と、第二の筒状体３の塞ぎ部３１の下面との間に挟まれる（図１（ｃ）参照）。
【００４２】
また、図２（ｄ）に示すように、本実施形態に用いるネオジウム磁石５は、径が約７ｍｍ、高さが約２ｍｍの円柱形状で、表面にニッケルめっきが施され、磁束密度が約２７００ガウスの磁石である。そして、ネオジウム磁石５を、第一の筒状体２と第二の筒状体３との間に配した状態で、マッサージユニット１（第二の筒状体３の塞ぎ部３１）の表面の磁束密度が約１２００となる。
【００４３】
また、ネオジウム磁石５にかえて、径が約５ｍｍ、高さが約２ｍｍの円柱形状で、表面にニッケルめっきが施され、磁束密度が約２９００ガウスの磁石を用いてもよく、この場合マッサージユニット１の磁束密度は約９００ガウスとなる。なお、これ以外に、磁束密度１０００〜７０００ガウスの磁石を用いてもよく、この場合マッサージユニット１の磁束密度を３５０〜２０００ガウスとできる。また、ネオジウム磁石以外にも、フェライト磁石、サマリウムコバルト磁石、アルニコ磁石を用いることもできる。
【００４４】
また、本実施形態における磁石には、円柱形状のものを使用しているが、円柱形状以外の形状（例えば、角柱形状、球体形状など）を使用してもよい。なお、球体形状の磁石を使用する場合、球体形状の磁石にもＮ極とＳ極があるので、マッサージユニット１の内部で回転してＮ極とＳ極との位置がずれないよう、位置決めをする必要がある。したがって、本実施形態のマッサージユニット１には、ネオジウム磁石５のように円柱形状の磁石が好適である。
【００４５】
また、マッサージユニット１は、コイルバネ４にかえて、これと弾性率の異なるコイルバネ４’や４’’を用いることで、マッサージユニット１の弾性率を変更できる。例えば、コイルバネ４よりも弾性率の大きいコイルバネ４’を用いれば、固いマッサージユニット１’となり、弾性率の小さいコイルバネ４’’を用いれば、柔らかいマッサージユニット１’’となる。
【００４６】
（変形例１）
図３（ａ）は、マッサージユニット１の変形例であるマッサージユニット１０１を示す図である。マッサージユニット１０１とマッサージユニット１との違いは、主として第二の筒状体３の塞ぎ部３１の小孔１３１の有無である。マッサージユニット１０１は、塞ぎ部３１の半球状の頂点から軸方向Ｘに沿って、貫通孔である小孔１３１が１つ形成されている。なお、この小孔１３１は、複数形成してもよい。そして、この小孔１３１に、消臭剤や芳香剤を入れて、履物内の臭気を抑えることができる。
【００４７】
（変形例２）
図３（ｂ）は、マッサージユニット１の変形例であるマッサージユニット２０１を示す図である。マッサージユニット２０１とマッサージユニット１との違いは、主として返し２５に加えて、もう一つ返し２２５を設けたことである。これにより、マッサージユニット２０１を履物底等の嵌合孔に取り付けた際、より抜けにくくなる。
【００４８】
＜マッサージユニットを取り付けた履物＞
次に、マッサージユニット１をサンダル１０（履物）に適用した場合について説明する。図４（ａ）は、靴底１１の斜視図である。図４（ｂ）は、複数のマッサージユニット１を取り付けた状態の靴底１１の斜視図である。
【００４９】
図４（ａ）に示すように、靴底１１には、その上面１１ａに複数の嵌合孔１２が設けられている。靴底１１はＴＰＲ樹脂からなる。なお、ＴＰＲ樹脂以外にもＥＶＡなどから樹脂系のシリコン、ＰＵ、ＰＶＣ等を用いてもよい。また、嵌合孔１２は、径が約１３ｍｍ、高さが約１４ｍｍで、嵌合孔１２の径は、マッサージユニット１（第一の筒状体２）の外径よりも少しだけ小さく形成されている。この構成により、マッサージユニット１を嵌合孔１２に取り付けた際に、マッサージユニット１が抜けにくい。さらに、マッサージユニット１の第一の筒状体２には、円環状の返し２５が形成されているので、嵌合孔１２からより抜けにくくなっている。
【００５０】
また、靴底１１の上面１１ａには、足裏に存在するツボと対応する体の部位毎に、その領域に分けた図柄が表されており、少なくともそれぞれの部位に対応するツボの位置をカバーするように、嵌合孔１２が設けられている。なお、人が履いた時のバランスを考え、ツボ以外の位置にも嵌合孔１２は設けられている。
【００５１】
図４（ｂ）に示すように、マッサージユニット１は、靴底１１の嵌合孔１２にそれぞれ取り付ける。このとき、足の踵部周辺には、マッサージユニット１よりも弾性率の高いマッサージユニット１’を取り付ける。これは、踵部周辺が比較的固いことと、人が歩く際など踵部周辺には比較的大きな荷重がかかるためである。このように、足裏の部分に合わせて弾性率の異なるマッサージユニット１、１’を配することで、使用者に合わせた適度なマッサージ効果を得られる。また、これらマッサージユニット１、１’は、取り外しできるので、足裏の状態に合わせて取付部分の組み合わせを容易に変更できる。
【００５２】
このように、靴底１１にマッサージユニット１を取り付けたサンダル１０を使用者が履いて歩くことによって、マッサージユニット１が上下に滑動し、足裏のツボを適度に刺激する。これと同時に、マッサージユニット１に配されたネオジウム磁石５の磁気によって、血行促進等の効果も達成される。
【００５３】
すなわち、使用者はこのサンダル１０を履くだけで、ツボ押しによるマッサージ効果と、磁気による血行促進効果を同時かつ容易に得ることができる。
【００５４】
（変形例）
また、図５に示すように、マッサージユニット１はサンダル１０等の履物以外にも、嵌合孔を設けたベルトやマット、枕、クッション、ハンドグリップなどにも適用することができる。
【００５５】
以上のとおり、図面を参照しながら本発明の好適な実施形態を説明したが、本発明の趣旨を逸脱しない範囲内で、種々の追加、変更または削除が可能である。例えば、マッサージユニットの形状は、略円筒の形状に限られず、略角筒の形状であってもよく、大きさも上記実施形態に限られない。また、履物等に使用する際のマッサージユニットもこの限りでなく、履物の大きさや用途に合わせて、数を変更してもよく、靴底上面からの突出量も本実施形態より低くしてもよい。したがって、そうしたものも本発明の範囲内に含まれる。
【符号の説明】
【００５６】
１  マッサージユニット
２  第一の筒状体
２１  底部
２２  側部
２３  突起部
２４  長孔
２５  返し
３  第二の筒状体
３１  塞ぎ部
３２  側部
３３  突起部
３４  切り欠き
４  コイルバネ（弾性部材）
５  ネオジウム磁石
１０  サンダル（履物）
１１  靴底
１１ａ  上面
１２  嵌合孔
【図１】
2014002146.tif 000003
【図２】
2014002146.tif 000004
【図３】
2014002146.tif 000005
【図４】
2014002146.tif 000006
【図５】
2014002146.tif 000007
【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
上方が開口し、下方に底部を具備する第一の筒状体と、
下方が開口し、上方に上面が湾曲した塞ぎ部を具備し、前記第一の筒状体に摺動可能に取り付けられた第二の筒状体と、
前記底部と前記塞ぎ部との間で、前記第一及び第二の筒状体の軸方向に沿って配された弾性部材と、
前記弾性部材と前記塞ぎ部との間に配された磁石と、を備え、
前記第一の筒状体は、前記底部の周縁から上方に延在する側部と、この側部に軸方向に沿って周方向に所定の間隔をあけて設けられた長孔と、を有し、
前記第二の筒状体は、前記塞ぎ部の周縁から下方に延在する側部と、この側部に軸方向の下方に前記長孔に嵌まり摺動する突起と、さらに、この側部の下端から軸方向に沿って、周方向に所定の間隔をあけて設けられた切り欠きと、を有することを特徴とする
マッサージユニット。
【請求項２】
前記磁石が磁束密度１０００〜７０００ガウスであり、
前記塞ぎ部が半球状であって、前記磁石の上面と前記半球状の頂点との距離が、０．５〜５ｍｍであり、
前記半球状の頂点の磁束密度を３５０〜２０００ガウスとしたことを特徴とする
請求項１記載のマッサージユニット。
【請求項３】
前記塞ぎ部に、小孔が設けられたことを特徴とする
請求項１又は２記載のマッサージユニット。
【請求項４】
請求項１〜３のいずれか１項記載のマッサージユニットを複数備え、
履物底の上面に、前記第一の筒状体が嵌合する複数の嵌合孔が設けられ、
これら複数のマッサージユニットが、前記嵌合孔にそれぞれ取り付けられ、
前記履物底の上面から前記塞ぎ部が突出したことを特徴とする
履物。
【請求項５】
前記嵌合孔が人の足裏のツボに対応する位置に設けられたことを特徴とする
請求項４記載の履物。
【請求項６】
前記複数のマッサージユニットには、前記弾性部材が配された第一のマッサージユニットと、これと弾性率の異なる前記弾性部材が配された第二のマッサージユニットがあり、
これら第一、第二のマッサージユニットが、人の足裏のツボに応じて前記嵌合孔に取り付けられたことを特徴とする
請求項４又は５記載の履物。
【請求項７】
請求項１〜３のいずれか１項記載のマッサージユニットを複数備え、
ベルトの一方面に、前記第一の筒状体が嵌合する複数の嵌合孔が設けられ、
これら複数のマッサージユニットが、前記嵌合孔にそれぞれ取り付けられ、
前記ベルトの一方面から前記塞ぎ部が突出したことを特徴とする
ベルト。
【請求項８】
請求項１〜３のいずれか１項記載のマッサージユニットを複数備え、
マットの上面に、前記第一の筒状体が嵌合する複数の嵌合孔が設けられ、
これら複数のマッサージユニットが、前記嵌合孔にそれぞれ取り付けられ、
前記マットの上面から前記塞ぎ部が突出したことを特徴とする
マット。
【請求項９】
請求項１〜３のいずれか１項記載のマッサージユニットを複数備え、
枕の一方面に、前記第一の筒状体が嵌合する複数の嵌合孔が設けられ、
これら複数のマッサージユニットが、前記嵌合孔にそれぞれ取り付けられ、
前記枕の一方面から前記塞ぎ部が突出したことを特徴とする
枕。
【請求項１０】
請求項１〜３のいずれか１項記載のマッサージユニットを複数備え、
クッションの一方面に、前記第一の筒状体が嵌合する複数の嵌合孔が設けられ、
これら複数のマッサージユニットが、前記嵌合孔にそれぞれ取り付けられ、
前記クッションの一方面から前記塞ぎ部が突出したことを特徴とする
クッション。
【請求項１１】
請求項１〜３のいずれか１項記載のマッサージユニットを備え、
ハンドグリップの表面に、前記第一の筒状体が嵌合する嵌合孔が設けられ、
このマッサージユニットが、前記嵌合孔に取り付けられ、
前記ハンドグリップの表面から前記塞ぎ部が突出したことを特徴とする
ハンドグリップ。
【手続補正２】
【補正対象書類名】明細書
【補正対象項目名】００１２
【補正方法】変更
【補正の内容】
【００１２】
上記の課題を解決するために本発明に係るマッサージユニットは、上方が開口し、下方に底部を具備する第一の筒状体と、下方が開口し、上方に上面が湾曲した塞ぎ部を具備し、前記第一の筒状体に摺動可能に取り付けられた第二の筒状体と、前記底部と前記塞ぎ部との間で、前記第一及び第二の筒状体の軸方向に沿って配された弾性部材と、前記弾性部材と前記塞ぎ部との間に配された磁石と、を備え、
前記第一の筒状体は、前記底部の周縁から上方に延在する側部と、この側部に軸方向に沿って周方向に所定の間隔をあけて設けられた長孔と、を有し、
前記第二の筒状体は、前記塞ぎ部の周縁から下方に延在する側部と、この側部に軸方向の下方に前記長孔に嵌まり摺動する突起と、さらに、この側部の下端から軸方向に沿って、周方向に所定の間隔をあけて設けられた切り欠きと、を有することを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
また、第二の筒状体に切り欠きが形成されていることにより、側部が下方で複数に分断されるため、これら分断された側部を内方に撓ませて、第一の筒状体に取り付けやすくなっている。また、第二の筒状体に第一の筒状体を取り付けて使用する時にも、第二の筒状体が上下に摺動する際に、第二の筒状体が撓むことで、力を逃がすことができる。
【手続補正５】
【補正対象書類名】明細書
【補正対象項目名】００１８
【補正方法】変更
【補正の内容】
【００１８】
請求項２に係るマッサージユニットは、前記磁石が磁束密度１０００〜７０００ガウスであり、前記塞ぎ部が半球状であって、前記磁石の上面と前記半球状の頂点との距離が、０．５〜５ｍｍであり、前記半球状の頂点の磁束密度を３５０〜２０００ガウスとしたことを特徴とする。
【手続補正６】
【補正対象書類名】明細書
【補正対象項目名】００２０
【補正方法】変更
【補正の内容】
【００２０】
請求項３に係るマッサージユニットは、前記塞ぎ部に、小孔が設けられていてもよい。
【手続補正７】
【補正対象書類名】明細書
【補正対象項目名】００２２
【補正方法】変更
【補正の内容】
【００２２】
請求項４に係る履物は、請求項１〜３のいずれか１項記載のマッサージユニットを複数備え、履物底の上面に、前記第一の筒状体が嵌合する複数の嵌合孔が設けられ、これら複数のマッサージユニットが、前記嵌合孔にそれぞれ取り付けられ、前記履物底の上面から前記塞ぎ部が突出したことを特徴とする。
【手続補正８】
【補正対象書類名】明細書
【補正対象項目名】００２４
【補正方法】変更
【補正の内容】
【００２４】
請求項５に係る履物は、前記嵌合孔が人の足裏のツボに対応する位置に設けられたことを特徴とする。
【手続補正９】
【補正対象書類名】明細書
【補正対象項目名】００２６
【補正方法】変更
【補正の内容】
【００２６】
請求項６に係る履物は、前記複数のマッサージユニットには、前記弾性部材が配された第一のマッサージユニットと、これと弾性率の異なる前記弾性部材が配された第二のマッサージユニットがあり、これら第一、第二のマッサージユニットが、人の足裏のツボに応じて前記嵌合孔に取り付けられたことを特徴とする。
【手続補正１０】
【補正対象書類名】明細書
【補正対象項目名】００２８
【補正方法】変更
【補正の内容】
【００２８】
請求項７に係るベルトは、請求項１〜３のいずれか１項記載のマッサージユニットを複数備え、ベルトの一方面に、前記第一の筒状体が嵌合する複数の嵌合孔が設けられ、これら複数のマッサージユニットが、前記嵌合孔にそれぞれ取り付けられ、前記ベルトの一方面から前記塞ぎ部が突出したことを特徴とする。このように、マッサージユニットをベルトに適用してもよい。
【手続補正１１】
【補正対象書類名】明細書
【補正対象項目名】００２９
【補正方法】変更
【補正の内容】
【００２９】
請求項８に係るマットは、請求項１〜３のいずれか１項記載のマッサージユニットを複数備え、マットの上面に、前記第一の筒状体が嵌合する複数の嵌合孔が設けられ、これら複数のマッサージユニットが、前記嵌合孔にそれぞれ取り付けられ、前記マットの上面から前記塞ぎ部が突出したことを特徴とする。このように、マッサージユニットをマットに適用してもよい。
【手続補正１２】
【補正対象書類名】明細書
【補正対象項目名】００３０
【補正方法】変更
【補正の内容】
【００３０】
請求項９に係る枕は、請求項１〜３のいずれか１項記載のマッサージユニットを複数備え、枕の一方面に、前記第一の筒状体が嵌合する複数の嵌合孔が設けられ、これら複数のマッサージユニットが、前記嵌合孔にそれぞれ取り付けられ、前記枕の一方面から前記塞ぎ部が突出したことを特徴とする。このように、マッサージユニットを枕に適用してもよい。
【手続補正１３】
【補正対象書類名】明細書
【補正対象項目名】００３１
【補正方法】変更
【補正の内容】
【００３１】
請求項１０に係るクッションは、請求項１〜３のいずれか１項記載のマッサージユニットを複数備え、クッションの一方面に、前記第一の筒状体が嵌合する複数の嵌合孔が設けられ、これら複数のマッサージユニットが、前記嵌合孔にそれぞれ取り付けられ、前記クッションの一方面から前記塞ぎ部が突出したことを特徴とする。このように、マッサージユニットをクッションに適用してもよい。
【手続補正１４】
【補正対象書類名】明細書
【補正対象項目名】００３２
【補正方法】変更
【補正の内容】
【００３２】
請求項１１に係るハンドグリップは、請求項１〜３のいずれか１項記載のマッサージユニットを備え、ハンドグリップの表面に、前記第一の筒状体が嵌合する嵌合孔が設けられ、このマッサージユニットが、前記嵌合孔に取り付けられ、前記ハンドグリップの表面から前記塞ぎ部が突出したことを特徴とする。このように、マッサージユニットをハンドグリップに適用してもよい。
【国際調査報告】
2014002146.tif 000008
2014002146.tif 000009
2014002146.tif 000010
2014002146.tif 000011